(57)【要約】【課題】プレゼント元ユーザは、その配信サーバにおける使用権のプレゼントを行い、このプレゼントを受けたプレゼント先ユーザがその有料コンテンツの選択、特定を行うことができるようにすること。【解決手段】コンテンツ配信サーバ３は、プレゼント元ユーザの端末９からのプレゼント要求を受けると、プレゼント先ユーザがプレゼントを選択指定することのできるプレゼントページの情報を上記プレゼント元ユーザの端末に送る。プレゼント元ユーザは上記プレゼントページの情報をプレゼント先ユーザの端末１０に送信することにより、プレゼント先ユーザは上記配信サーバ３の上記プレゼントページにアクセスし、自分の気に入ったプレゼントを選択し、それをプレゼントとして受ける。【選択図】  図１
2004192099.tif 000002
【特許請求の範囲】
【請求項１】
ネットワークを経由して有料のコンテンツを配信するコンテンツ配信サーバに接続される端末を用い、プレゼント元ユーザからプレゼント先ユーザに上記コンテンツ配信サーバより配信される有料のコンテンツをプレゼントするコンテンツプレゼント方法において、
上記コンテンツ配信サーバは、プレゼント元ユーザの端末からプレゼント要求を受けると、プレゼント先ユーザがプレゼントを選択指定することのできるプレゼントページの情報を上記プレゼント元ユーザの端末に送り、
上記プレゼント元ユーザが上記プレゼントページの情報をプレゼント先ユーザに送信することにより、上記プレゼント先ユーザが上記コンテンツ配信サーバの上記プレゼントページにアクセスすることを可能とし、
上記プレゼント先ユーザは、上記コンテンツ配信サーバからプレゼントコンテンツを選択するとともに指定し、上記プレゼントコンテンツのプレゼントを受けることを特徴とするコンテンツプレゼント方法。
【請求項２】
前記コンテンツ配信サーバはプレゼント管理部を有し、
該プレゼント管理部では、前記プレゼント元ユーザの端末からプレゼント要求を受けたときには、前記プレゼント元ユーザの識別情報と、前記プレゼントページの情報であるアドレス情報とを保持し、
前記プレゼント先ユーザが上記プレゼントページにアクセスしたときは、上記プレゼント管理部は、上記プレゼント先ユーザの識別情報を更に保持し、それ以後の上記プレゼントページへのアクセスを上記プレゼント先ユーザのみに限定するようにしたことを特徴とする請求項１記載のコンテンツプレゼント方法。
【請求項３】
前記コンテンツ配信サーバは、前記プレゼント先ユーザにより、前記プレゼントページを介してプレゼントコンテンツの検索をすることができるようになっていることを特徴とする請求項２記載のコンテンツプレゼント方法。
【請求項４】
前記プレゼント管理部は、前記プレゼント先ユーザが上記プレゼントページにアクセスし、前記プレゼントコンテンツが選択・指定されたのちに前記プレゼント元ユーザに課金することを特徴とする請求項２記載のコンテンツプレゼント方法。
【請求項５】
前記有料のコンテンツを配信するコンテンツ配信サーバは、着信メロディを配信する着信メロディ配信サーバであることを特徴とする請求項１記載のコンテンツプレゼント方法。
【請求項６】
前記ネットワークはインターネットであり、前記プレゼントページの情報はＵＲＬであり、前記コンテンツ配信サーバに接続される端末は携帯端末であることを特徴とする請求項１記載のコンテンツプレゼント方法。
【発明の詳細な説明】
【０００１】
【発明の属する技術分野】
本発明は、ネットワークを経由して有料のコンテンツを配信するコンテンツ配信サーバに接続される端末を用い、プレゼント元ユーザからプレゼント先ユーザに有料のコンテンツをプレゼントするコンテンツプレゼント方法に関する。
【０００２】
【従来の技術】
ネットワークを経由して有料のコンテンツを配信する有料コンテンツ配信サイトにおいて、有料コンテンツのプレゼントサービスを行うことが、特開２００２−１６３４６７号公報に開示されているように知られている。このようなプレゼントサービスは、ある有料コンテンツを購入したユーザ（プレゼント元ユーザ）が、このコンテンツの使用権を他のユーザ（プレゼント先ユーザ）に譲渡、即ち、プレゼントするサービスである。
【０００３】
従来におけるプレゼントサービスは、例えば、有料コンテンツへのページアドレス情報であるアクセスＵＲＬを、有料コンテンツの料金を支払うプレゼント元ユーザが、有料コンテンツ配信サイトよりダウンロードし、プレゼントするコンテンツを特定した段階でその有料コンテンツへのアクセスＵＲＬを、携帯電話等の端末におけるメール機能等でプレゼント先ユーザに通知することが行われている。この場合の課金は、有料コンテンツへのアクセスＵＲＬのダウンロードを行ったプレゼント元ユーザに対して行い、そのアクセスＵＲＬによって有料コンテンツにアクセスし、その有料コンテンツを使用するプレゼント先ユーザに対しては行わない。また、有料コンテンツ配信サイト側では、プレゼントされた有料コンテンツへのアクセスを別途管理し、アクセスできるユーザやアクセスできる期間に制限を設けるようにしている。このようにして、ある特定の有料コンテンツの使用権を特定のユーザから特定のユーザへ譲渡、即ち、プレゼント元ユーザからプレゼント先ユーザにプレゼントすることができる。
【０００４】
【特許文献１】
特開２００２−１６３４６７号公報
【０００５】
【発明が解決しようとする課題】
従来公知のコンテンツプレゼント方法では、プレゼント元ユーザがプレゼントするコンテンツを特定している。例えば、有料のコンテンツが着信メロディであるプレゼントを例にとると、プレゼント元ユーザがプレゼントする曲を特定している。従って、プレゼント先ユーザは、プレゼント元ユーザが選択した曲をダウンロードするかどうかを選択することはできても、プレゼント先ユーザが曲を選択することはできない。
【０００６】
本発明は、有料コンテンツのプレゼントサービスにおいて、プレゼント元ユーザは、その配信サーバにおける使用権のプレゼントを行い、このプレゼントを受けたプレゼント先ユーザがその有料コンテンツの選択、特定を行うことができるようにすることによって、プレゼントの選択性を高めることができるコンテンツプレゼント方法を提供することを目的とする。
【０００７】
【課題を解決するための手段】
かかる目的を達成するために請求項１記載の発明は、ネットワークを経由して有料のコンテンツを配信する配信サーバに接続される端末を用い、プレゼント元ユーザからプレゼント先ユーザに上記配信サーバより配信される有料のコンテンツをプレゼントするコンテンツプレゼント方法において、コンテンツ配信サーバは、プレゼント元ユーザの端末からのプレゼント要求を受けると、プレゼント先ユーザがプレゼントを選択指定することのできるプレゼントページの情報を上記プレゼント元ユーザの端末に送り、一方、上記プレゼント元ユーザが上記プレゼントページの情報をプレゼント先ユーザに送信することにより、上記プレゼント先ユーザが上記配信サーバの上記プレゼントページにアクセスすることを可能とするものである。
【０００８】
従って、プレゼント先ユーザは、上記プレゼント元ユーザから送信されたプレゼントページにアクセスすることにより、例えば、自らの検索式に基づいて上記コンテンツ配信サーバからプレゼントコンテンツを選択するとともに指定し、プレゼントを受けるようにすることができる。
【０００９】
また、請求項２記載のコンテンツプレゼント方法は、前記コンテンツ配信サーバはプレゼント管理部を有し、該プレゼント管理部では、前記プレゼント要求を受けたときには、前記プレゼント元ユーザの識別情報と、前記プレゼントページのアドレス情報とを保持し、前記プレゼント先ユーザが上記プレゼントページにアクセスしたときは、上記プレゼント管理部は、上記プレゼント先ユーザの識別情報を更に保持し、それ以後の上記プレゼントページへのアクセスを上記プレゼント先ユーザのみに限定するようにしたものである。
【００１０】
従って、プレゼント管理部では、プレゼント元ユーザの識別コードＩＤ等の識別情報、プレゼントページのアドレス情報、プレゼント先ユーザの識別コードＩＤ等の識別情報を管理すればよく、また、プレゼント先ユーザが上記プレゼントページにアクセスしたときは、上記プレゼント管理部は、それ以後の上記プレゼントページへのアクセスを上記プレゼント先ユーザのみに限定するようにしてあるから、プレゼントサービスを容易に誤りなく行うことができる。
【００１１】
なお、プレゼント管理部で管理する情報として、上記プレゼントページのアドレス情報の作成日を保持するようにしておき、上記プレゼントのサービス期間を上記作成日より一定の期間に期限を設けるようにしてもよい。
【００１２】
また、請求項３記載のコンテンツプレゼント方法のように、前記コンテンツ配信サーバが、前記プレゼント先ユーザにより、前記プレゼントページを介してプレゼントコンテンツを検索することができるようにしておけば、プレゼント先ユーザは、自分の気に入ったコンテンツを検索し、選択することができ、その選択性を更に広げることができる。
【００１３】
更に、請求項４記載のコンテンツプレゼント方法のように、プレゼント管理部は、プレゼント先ユーザが上記プレゼントページにアクセスし、前記プレゼントコンテンツが選択・指定されたのちにプレゼント元ユーザに課金するようにしておけば、万一、プレゼント先ユーザが上記プレゼントページにアクセスせず、プレゼントを受領しない場合に、プレゼント元ユーザが不要な料金支払いをしなくてすむようにすることができる。
【００１４】
前記有料のコンテンツを配信する配信サーバとしては、請求項５記載のコンテンツプレゼント方法のように、着信メロディを配信する着信メロディ配信サーバに適用することが有効である。
【００１５】
また、前記ネットワークはインターネットであり、前記プレゼントページの情報、または、アドレス情報はＵＲＬであり、前記配信サーバに接続される端末は携帯端末とすれば、本発明におけるコンテンツプレゼント方法を既存のシステムを用いて容易に実現することができる。
【００１６】
【発明の実施の形態】
以下、本発明を図面に示す最良の形態に基づいて詳細に説明する。図１は、本発明におけるコンテンツプレゼント方法の実施形態における基本的フローの一例を示すものであり、図２は、本発明におけるコンテンツプレゼント方法の実施形態の一例を利用したプレゼントシステム１を示す。
【００１７】
図２において、このプレゼントシステム１は、プレゼントコンテンツとして着信メロディを配信するもので、着信メロディが蓄積されている配信曲データベース２と、この配信曲データベース２内の着信メロディをユーザに配信する着信メロディ配信サーバ３と、この着信メロディ配信サーバ３より着信メロディ配信サービスを受けるように予め登録された会員データベース４と、有料のコンテンツを購入したときにその料金を支払う料金支払システム５を備えている。
【００１８】
この着信メロディ配信サーバ３内には、プレゼントサービスの管理を行うプレゼント管理部３０が設けられており、また、インターネット６と接続するための通信インターフェースであるゲート７を備え、上記配信曲データベース２、会員データベース４、料金支払システム５とともに着信メロディ配信サイト８を構成している。
【００１９】
プレゼントシステム１は、また、プレゼント元ユーザが操作する携帯端末９とプレゼント先ユーザが操作する携帯端末１０とを備えている。これらの携帯端末９、１０からインターネットへの接続は、基地局１１からキャリア側網１２を介してキャリア側サーバ設備１３に接続し、ここからインターネット６に接続する既存のシステムを使用することができる。
【００２０】
上述したプレゼントシステム１を利用したコンテンツプレゼント方法について図１を参照しながらその基本的なフローについて説明する。
【００２１】
プレゼントをしようとするプレゼント元ユーザは、まず、携帯端末９を操作して、着信メロディを配信しているサイトである着信メロディ配信サイト８の着信メロディ配信サーバ３に接続し、有料コンテンツのプレゼント要求を行う（ステップ１）と、そのプレゼント要求が着信メロディ配信サーバ３側で受付られる（ステップ２）。着信メロディ配信サーバ３では、プレゼントを検索し選択できるプレゼント用ＵＲＬを作成し（ステップ３）、プレゼント元ユーザに送信する（ステップ４）。プレゼント元ユーザは、携帯端末９を用いてプレゼント先ユーザのアドレスを指定し、プレゼント先ユーザの携帯端末にプレゼント用ＵＲＬを送信し（ステップ５）、プレゼント先ユーザの携帯端末１０からプレゼント用ＵＲＬにアクセスすることができるようにする。プレゼント先ユーザは、受信したプレゼント用ＵＲＬにアクセスする（ステップ６）。このアクセスにより、プレゼント先ユーザは、プレゼント曲検索ページ等を用いて検索条件を入力する等行い、プレゼント先ユーザは、表示された検索結果の中からお好みの曲を選択し、ダウンロードすることができる（ステップ７）。
【００２２】
以下、上述したプレゼントシステム１を利用したコンテンツプレゼント方法について、図３，図４を参照しながらその詳細なフローについて説明する。図３は、プレゼント元ユーザが有料コンテンツのプレゼントをプレゼント先ユーザに送信するまでのフローを示し、図４は、プレゼント先ユーザがプレゼントを受けるコンテンツを選定するまでのフローを示す。
【００２３】
図３において、既に説明したように、プレゼントをしようとするプレゼント元ユーザは、まず、携帯端末９を操作して、着信メロディを配信しているサイトである着信メロディ配信サイト８の着信メロディ配信サーバ３に接続し、着信メロディ配信サーバ３が提供しているサービスのうち、有料コンテンツのプレゼントページの表示要求を行う（ステップ１１）。このプレゼントページ表示要求は、着信メロディ配信サーバ３に送信される（ステップ１２）。
【００２４】
なお、プレゼント元ユーザは、プレゼントサービスを含む着信メロディ配信サイト８の会員であり、会員データベース４に既に登録されているものとする。但し、新たに着信メロディ配信サイト８の会員となる場合でも同様にサービスを受けられるが、その会員となる登録手続きについては省略する。
【００２５】
プレゼント元ユーザが、着信メロディ配信サーバ３に接続し、プレゼントページ表示要求が着信メロディ配信サーバ３に送信されると、着信メロディ配信サーバ３は、表示画面生成部２１を介してプレゼント元ユーザの携帯端末９に対して図５に示すようなプレゼントページを送信する（ステップ１３）。
【００２６】
図５に示すプレゼントページの表示画面において、プレゼント元ユーザが画面下に表示されている「プレゼント」を選択しボタン押下操作する（ステップ１４）と、この「プレゼント」確定信号が正式な「プレゼント要求」として着信メロディ配信サーバ３に送られ（ステップ１５）、着信メロディ配信サーバ３では、その「プレゼント要求」とともにそのプレゼント元ユーザの携帯端末９の識別情報である識別コードＰＵＩＤを受信する。
【００２７】
着信メロディ配信サーバ３では、受信したプレゼント元ユーザの識別コードＰＵＩＤを用いて、プレゼント元ユーザがプレゼントサービスの会員であるかどうかを会員データベース４に問い合わせて確認し（ステップ１６）、会員である場合は、着信メロディ配信サーバ３内に設けられたＵＲＬ作成部２０によりプレゼントを検索し選択できるプレゼント用ＵＲＬ（ＰＵＲＬ）を作成し（ステップ１７）、これを表示画面生成部２１により作成されているプレゼント送信ページとともにプレゼント元ユーザに送信する（ステップ１８）。
【００２８】
ここで、着信メロディ配信サーバ３内に設けられたプレゼント管理部３０では、作成されたプレゼント用ＵＲＬ（ＰＵＲＬ）とプレゼント元ユーザの識別コードＰＵＩＤ、及び、プレゼント用ＵＲＬの作成日時が、プレゼント管理項目として管理項目記憶部３１に保持される（ステップ１９）。また、プレゼント元ユーザのこの着信メロディ配信サイト８における利用状況も別個の記憶部により変更される（ステップ２０）。この時点では、プレゼント元ユーザの利用状況は、プレゼント中であることがデータとして保持されるが、プレゼント済みデータ状態とはならない。
【００２９】
着信メロディ配信サーバ３がプレゼント用ＵＲＬ（ＰＵＲＬ）をプレゼント送信ページとともにプレゼント元ユーザに送信する（ステップ１８）と、プレゼント元ユーザの携帯端末９の画面には、図６に示すプレゼント送信ページが表示される（ステップ２１）。このプレゼント送信ページには、プレゼント先ユーザのメールアドレスを指定する入力画面が含まれており、プレゼント先ユーザのアドレスを指定してプレゼントメールをプレゼント用ＵＲＬ（ＰＵＲＬ）とともに送信する（ステップ２２）と、プレゼント先ユーザの携帯端末１０からプレゼント用ＵＲＬ（ＰＵＲＬ）にアクセスすることができるようになる。
【００３０】
次に、図４を参照して、プレゼント先ユーザがプレゼントを受けるコンテンツを選定するまでのフローについて説明する。プレゼント先ユーザは、携帯端末１０によりメールにて受信したプレゼント用ＵＲＬ（ＰＵＲＬ）にアクセスする（ステップ２３）。このアクセスにより、着信メロディ配信サーバ３には、プレゼント用ＵＲＬ（ＰＵＲＬ）とともにプレゼント先ユーザの識別コードＲＵＩＤが渡される（ステップ２４）。着信メロディ配信サーバ３は、プレゼント用ＵＲＬ（ＰＵＲＬ）にアクセスしてきたプレゼント先ユーザのアクセスを受付し、プレゼント先ユーザの識別コードＲＵＩＤをプレゼント管理部３０に送り、プレゼント管理部３０の管理項目記憶部３１では、プレゼント管理項目としてプレゼント先ユーザの識別コードＲＵＩＤを追加保持する（ステップ２５）。
【００３１】
プレゼント管理部３０の管理項目記憶部３１において、プレゼント管理項目としてプレゼント先ユーザの識別コードＲＵＩＤが追加保持されると、これ以後は、プレゼント用ＵＲＬ（ＰＵＲＬ）へのアクセスは、プレゼント先ユーザの識別コードＲＵＩＤに限定される。
【００３２】
一方、着信メロディ配信サーバ３では、表示画面生成部２１を介してプレゼント先ユーザの携帯端末１０に、図７に示すプレゼント用ＵＲＬ受付ページを送信し（ステップ２６）、表示させる（ステップ２７）。このプレゼント用ＵＲＬ受付ページでは、アクセスしたサイトがプレゼントであることや、曲検索ページへのリンクが含まれており、検索することできることが表示される。
【００３３】
従って、プレゼント先ユーザが、図７に示すプレゼント用ＵＲＬ受付ページの指示に基づいて検索リンクを選択し、検索ページの表示要求を着信メロディ配信サーバ３に送信すれば（ステップ２８）、着信メロディ配信サーバ３から図８に示すプレゼント曲検索ページが送信される（ステップ２９）。従って、このプレゼント曲検索ページを携帯端末１０に表示すれば、プレゼント先ユーザは、自分の希望する曲名を入力することも、プレゼント曲を検索することができる（ステップ３０）。具体的には、図８に示すプレゼント曲検索ページへ検索条件を入力し、もしくはランキングリンクを選択して、これらの検索条件を着信メロディ配信サーバ３に送信するようにする（ステップ３１）。
【００３４】
着信メロディ配信サーバ３は、送られてきた検索条件等をプレゼント管理部３０内に設けた曲検索部３２に送り、配信曲データベース２を用いて検索を行い（ステップ３２）、その検索結果をプレゼント先ユーザへ送信する（ステップ３３）。
【００３５】
プレゼント先ユーザは、携帯端末１０に表示された検索結果の中からプレゼント曲を選択する（ステップ３４）。この操作により、着信メロディ配信サーバ３には最終的にプレゼントされる着信メロディの識別コードＩＤが送られる（ステップ３５）。
【００３６】
着信メロディ配信サーバ３は、受け取った曲の識別コードＩＤ、プレゼント用ＵＲＬ（ＰＵＲＬ）を元に、ＵＲＬ作成部２０によりプレゼントダウンロードページである該当曲のダウンロード用ＵＲＬ（ＤＵＲＬ）を作成し（ステップ３６）、プレゼント先ユーザへ送信する（ステップ３７）。
【００３７】
一方、着信メロディ配信サーバ３では、その指定された曲の識別コードＩＤ、ダウンロード用ＵＲＬ（ＤＵＲＬ）をプレゼント管理部３０に送り、プレゼント管理項目として、曲の識別コードＩＤ（曲ＩＤ）、ダウンロード用ＵＲＬ（ＤＵＲＬ）を加え、このプレゼントで使用される曲を確定させる。以後、曲の変更は行わないこととしている。このプレゼントで使用される曲を確定した時点で、プレゼント元ユーザの利用状況を「プレゼント済み」と変更し、料金支払システム５を用いてプレゼント元ユーザへの課金処理をおこなう。
【００３８】
プレゼント先ユーザでは、図９に示すプレゼントダウンロードページからダウンロードする曲を選択、決定し（ステップ３８）、指定した曲のダウンロードを行う（ステップ３９）（ステップ４０）。
【００３９】
上記の実施の形態における会員制サイトは、例えば月単位の契約で特定の曲数の利用が可能な会員制サービスであってもよいし、１曲の利用ごとに契約して会員となるサービスであってもよい。
【００４０】
また、上記実施の形態においては、着信メロディサイトの例を示したが、プレゼントするコンテンツはメロディデータに限らず、画像等、他のコンテンツでもよい。
【００４１】
また、プレゼント先ユーザの曲検索においては、すべてプレゼント先ユーザが検索するのではなく、プレゼント元ユーザが予めお薦め曲を選択し、これをプレゼント先ユーザに提示するようにしてもよい。
【００４２】
【発明の効果】
以上説明したように、請求項１記載のコンテンツプレゼント方法では、プレゼント元ユーザの端末からのプレゼント要求を受けると、プレゼント先ユーザがプレゼントを選択指定することのできるプレゼントページの情報を上記プレゼント元ユーザの端末に送り、上記プレゼント元ユーザが上記プレゼントページの情報をプレゼント先ユーザに送信することにより、上記プレゼント先ユーザが上記プレゼントページにアクセスし、検索等することを可能とするものであるから、プレゼント先ユーザは、例えば、自らの検索式に基づいて上記コンテンツ配信サーバからプレゼントコンテンツを選択するとともに指定し、プレゼントを受けることができる。
【００４３】
また、請求項２記載のコンテンツプレゼント方法では、コンテンツ配信サーバはプレゼント管理部を有し、該プレゼント管理部では、プレゼント先ユーザがプレゼントページにアクセスしたときは、上記プレゼント先ユーザの識別情報を保持し、それ以後の上記プレゼントページへのアクセスを上記プレゼント先ユーザのみに限定するようにしたものであるから、プレゼントサービスを容易に誤りなく行うことができる。
【００４４】
また、請求項３記載のコンテンツプレゼント方法では、コンテンツ配信サーバは、プレゼント先ユーザによりプレゼントコンテンツを選択することができるようにしてあるから、プレゼント先ユーザは、自分の気に入ったコンテンツを選択することができ、その選択性を広げることができる。
【００４５】
また、請求項４記載のコンテンツプレゼント方法では、プレゼント先ユーザがプレゼントコンテンツを選択、及び／又は、指定したのちにプレゼント元ユーザに課金するようにしてあるので、プレゼント先ユーザがプレゼントを受領しない場合には、プレゼント元ユーザに課金しないようにすることができる。
【００４６】
また、請求項５記載のコンテンツプレゼント方法では、コンテンツとして着信メロディを採用しているので、着信メロディをプレゼントすることができる。
【００４７】
また、請求項６記載のコンテンツプレゼント方法では、ネットワークはインターネットであり、プレゼントページのアドレス情報はＵＲＬであり、配信サイトに接続される端末は携帯端末であるので、本発明におけるコンテンツプレゼント方法を容易に実現することができる。
【図面の簡単な説明】
【図１】本発明におけるコンテンツプレゼント方法の基本的フローを示すチャート図である。
【図２】コンテンツプレゼント方法を利用したプレゼントシステムの全体を示すブロック図である。
【図３】図１に示すコンテンツプレゼント方法の基本的フローのうち、その前半の具体例を示すチャート図である。
【図４】図１に示すコンテンツプレゼント方法の基本的フローのうち、その後半の具体例を示すチャート図である。
【図５】プレゼント元ユーザの携帯端末に表示されるプレゼントページを示す図である。
【図６】プレゼント元ユーザの携帯端末に表示されるプレゼント送信ページを示す図である。
【図７】プレゼント先ユーザの携帯端末に表示されるプレゼントページを示す図である。
【図８】プレゼント先ユーザの携帯端末に表示されるプレゼント曲検索ページを示す図である。
【図９】プレゼント先ユーザの携帯端末に表示されるプレゼントダウンロードページを示す図である。
【符号の説明】
１  プレゼントシステム
２  配信曲データベース
３  着信メロディ配信サーバ
４  会員データベース
６  インターネット
９  プレゼント元ユーザが操作する携帯端末
１０  プレゼント先ユーザが操作する携帯端末
２０  ＵＲＬ作成部
３０  プレゼント管理部
３１  管理項目記憶部
【図１】
2004192099.tif 000003
【図２】
2004192099.tif 000004
【図３】
2004192099.tif 000005
【図４】
2004192099.tif 000006
【図５】
2004192099.tif 000007
【図６】
2004192099.tif 000008
【図７】
2004192099.tif 000009
【図８】
2004192099.tif 000010
【図９】
2004192099.tif 000011